(57)【要約】【課題】  プロジェクターによる投影システムにおいて瞬間調光ガラスをスクリーンとして用いることにより、機動的かつ効果的な大画面表示装置を実現する。【解決手段】  プロジェクター20a〜20dと、プロジェクターの投影方向に設置した第１スクリーン11、12と、投影方向にて第１スクリーンよりも遠方に設置した第２スクリーン13とを有し、少なくとも第１スクリーンが瞬間調光ガラスである、プロジェクターによる投影システムであり、１つの室の一方の壁側にプロジェクターが設置され、他方の壁に第２スクリーンが組み込まれ、室内に第１スクリーンが設置される。【選択図】  図１
2006343444.tif 000002
【特許請求の範囲】
【請求項１】
プロジェクターと、前記プロジェクターの投影方向に設置した第１スクリーンと、該投影方向にて該第１スクリーンよりも遠方に設置した第２スクリーンとを有し、少なくとも前記第１スクリーンが瞬間調光ガラスであることを特徴とするプロジェクターによる投影システム。
【請求項２】
１つの室の一方の壁側に前記プロジェクターが設置され、他方の壁に前記第２スクリーンが組み込まれ、室内に前記第１スクリーンが設置されることを特徴とする請求項１に記載のプロジェクターによる投影システム。
【請求項３】
前記第１及び第２スクリーンの双方が瞬間調光ガラスであることを特徴とする請求項１に記載のプロジェクターによる投影システム。
【請求項４】
１つの室の一方の壁側に前記プロジェクターが設置され、室外空間との仕切り壁である他方の壁に前記第２スクリーンが組み込まれ、室内に前記第１スクリーンが設置されることを特徴とする請求項３に記載のプロジェクターによる投影システム。
【請求項５】
前記プロジェクターが液晶プロジェクターであることを特徴とする請求項１〜４のいずれかに記載のプロジェクターによる投影システム。
【請求項６】
前記第１スクリーンまたは前記第２スクリーン上に赤外線イメージセンサー方式のタッチパネルを設けたことを特徴とする請求項１〜５のいずれかに記載のプロジェクターによる投影システム。
【発明の詳細な説明】
【技術分野】
【０００１】
本発明は、プロジェクターと複数のスクリーンとから構成される投影システムに関し、特に瞬間調光ガラスをスクリーンとして用いた投影システムに関する。
【背景技術】
【０００２】
従来、プロジェクターをスクリーンの背面側に設置して投影する透過型の投影システムが知られている。透過型の投影システムは、鑑賞者または視認者側にプロジェクターを配置する必要がないため機材が邪魔にならず空間を広く利用でき、駆動音の影響もなく静かである。また、外光の影響を受けにくく比較的明るい照明下での映写に適している。これに用いられるスクリーンは、リアスクリーンまたはリアタイプスクリーンと称され、例えば、塩化ビニールやアクリル樹脂等の素材で形成されている。
【０００３】
従来の樹脂製のリアタイプスクリーンは、比較的明るい照明下での映写に適しているためミーティングルームや会議室での使用には問題ないが、さらに明るい照明下で作業が行われる事務室、ＯＡ作業室等では鮮明さが不足するという問題があった。また、正面以外からみると映像が極端に暗くなった。さらに、プロジェクターの設置角度に制限があり、価格も高かった。さらにまた、映像の原色が再現されないという問題もあった。
【０００４】
一方、透明な一対のガラス基板の対向面にそれぞれ透明導電膜を配設し、透明導電膜間に液晶フィルムを介在させた瞬間調光ガラスが知られている（特許文献１参照）。液晶フィルムは、多孔質構造の熱可塑性樹脂の空隙中に液晶分子を分散させて形成される。斯かる瞬間調光ガラスの透明電極間に電圧が印加されていないとき（オフ）は、液晶分子が不規則に配列するため光が散乱され不透明状態となる。一方、透明電極間に電圧を印加したとき（オン）は、液晶分子が規則的に配列するため光が透過し透明状態となる。平行光線透過率は不透明時で１〜１０％程度、透明時で７０％程度である。応答時間は１〜１０μ秒程度である。
【０００５】
斯かる瞬間調光ガラスは、単なる間仕切りはもちろん、映写スクリーンとしても利用できる。瞬間調光ガラスを、従来のリアタイプスクリーンに替えて用いると次のような利点がある。先ず、事務室やＯＡ作業室等の非常に明るい照明下でも十分鮮明な映像が実現される。すなわち、オフ時の不透明状態のとき、極めて鮮明な映像が実現される。ガラス基板の継ぎ目なしで１２０インチ程度の大画面を簡易な構造で実現できる。さらに、プロジェクターの投射角度の制限がなく、上下左右方向でプロジェクターの最大性能まで対応できる。大きな視野角が得られる。
【特許文献１】特開平１０−２０６８７９号公報
【発明の開示】
【発明が解決しようとする課題】
【０００６】
上記の通り、瞬間調光ガラスをスクリーンとして用い、プロジェクターにより投影するシステムでは、設置場所の明暗によらず種々の用途が考えられる。例えば、ショーウィンドウ、ショールーム、イベント等でのディスプレイ演出やアイキャッチャーとして効果的である。
【０００７】
しかしながら、従来の瞬間調光ガラスのスクリーンとしての利用形態は、１枚のみをそのまま利用しており、単調な使い方であった。一方で、監視業務や、プレゼンテーション業務等を行うオフィスでは、大画面表示装置が重要な役割を果たしていることが多い。ところが、大画面表示装置は、当然ながら大きな空間を占めるため、１つの固定的な使い方しかできない場合は却って邪魔になることもある。尚、巻き取り収納式の大画面スクリーンなどでは、準備や後片づけが煩雑であり実用的ではない。従って、大画面表示装置に関しては、固定された使い方ではなく機動的に複数の使い方ができることが好ましい。
【０００８】
上記の現状に鑑み本発明は、プロジェクターによる投影システムにおいて瞬間調光ガラスをスクリーンとして用いることにより、機動的かつ効果的な大画面表示装置を実現することを目的とする。
【課題を解決するための手段】
【０００９】
上記の問題を解決するべく本発明は、以下の構成を提供する。
（１）請求項１に係るプロジェクターによる投影システムは、プロジェクターと、前記プロジェクターの投影方向に設置した第１スクリーンと、該投影方向にて該第１スクリーンよりも遠方に設置した第２スクリーンとを有し、少なくとも前記第１スクリーンが瞬間調光ガラスであることを特徴とする。
【００１０】
（２）請求項２に係るプロジェクターによる投影システムは、請求項１において、１つの室の一方の壁側に前記プロジェクターが設置され、他方の壁に前記第２スクリーンが組み込まれ、室内に前記第１スクリーンが設置されることを特徴とする。
【００１１】
（３）請求項３に係るプロジェクターによる投影システムは、請求項１において、前記第１及び第２スクリーンの双方が瞬間調光ガラスであることを特徴とする。
【００１２】
（４）請求項４に係るプロジェクターによる投影システムは、請求項３において、１つの室の一方の壁側に前記プロジェクターが設置され、室外空間との仕切り壁である他方の壁に前記第２スクリーンが組み込まれ、室内に前記第１スクリーンが設置されることを特徴とする。
【００１３】
（５）請求項５に係るプロジェクターによる投影システムは、請求項１〜４のいずれかにおいて、前記プロジェクターが液晶プロジェクターであることを特徴とする。
【００１４】
（６）請求項６に係るプロジェクターによる投影システムは、請求項１〜５のいずれかにおいて、前記第１スクリーンまたは前記第２スクリーン上に赤外線イメージセンサー方式のタッチパネルを設けたことを特徴とする。
【発明の効果】
【００１５】
請求項１に係るプロジェクターによる投影システムでは、プロジェクターの投影方向に所定の間隔を空けた第１スクリーンと第２スクリーンを設置し、少なくとも第１スクリーンは瞬間調光ガラスとしたことから、第１スクリーンの瞬間調光ガラスを不透明状態としたときは第１スクリーン上に映像を投影し、第１スクリーンを透明状態としたときは第２スクリーン上に映像を投影できる。これにより、必要に応じて映像の投影位置を選択でき、機動的に複数の使い方を使い分けることができる。
【００１６】
請求項２に係るプロジェクターによる投影システムでは、請求項１において、１つの室の一方の壁側にプロジェクターが設置され、他方の壁に第２スクリーンが設置され、室内に第１スクリーンが設置されることにより、第１スクリーンはスクリーンであると同時に１つの室内における間仕切りの役割も兼ねることができる。
【００１７】
請求項３に係るプロジェクターによる投影システムは、請求項１において、第１及び第２スクリーンの双方が瞬間調光ガラスであることにより、第２スクリーンの不透明状態及び透明状態を使い分けることでさらに使い方のバリエーションが広がる。第１スクリーンを透明状態とし、第２スクリーンを不透明状態として第２スクリーン上に映像を投影できる。第１スクリーンを不透明状態として第１スクリーンに映像を投影するときは、第２スクリーンは状況に応じて透明でも不透明でもよい。第１及び第２スクリーンとも透明状態とすることもできる。
【００１８】
請求項４に係るプロジェクターによる投影システムは、請求項３において、１つの室の一方の壁側にプロジェクターが設置され、室外空間との仕切り壁である他方の壁に第２スクリーンが組み込まれ、室内に前記第１スクリーンが設置されることにより、第２スクリーンに投影された映像を室外空間から視認することができる。また、第１スクリーンは、スクリーンであると同時に１つの室内における間仕切りの役割も兼ねることができる。
【００１９】
請求項５に係るプロジェクターによる投影システムは、請求項１〜４のいずれかにおいて、プロジェクターを液晶プロジェクターとすることにより、小型であるので複数台を目立たない場所に設置し易い。それによって複数のスクリーンを使い分ける方法が採りやすい。また軽量、低価格である。現在では、高輝度、高コントラスト、高視野角のものも開発されている。
【００２０】
請求項６に係るプロジェクターによる投影システムは、請求項１〜５のいずれかにおいて、第１スクリーンまたは第２スクリーン上に赤外線イメージセンサー方式のタッチパネルを装着したことにより、投影した映像を指示しながら入力操作を行うことができる。
【発明を実施するための最良の形態】
【００２１】
以下、実施例を示した図面を参照しつつ本発明の実施の形態を説明する。
図１は、本発明に係るプロジェクターによる投影システムの一実施例を示した概略的な平面図である。本発明の投影システムを設置した設置室３０は、例えば、事務やＯＡ作業用の居室である。あるいは、会議室、ショールーム等でもよく使用目的にはよらない。設置室３０の一方の壁３７側に仕切り壁３４で区画されたプロジェクター室３１が設けられる。プロジェクター室３１には、１または複数のプロジェクター２０ａ、２０ｂ、２０ｃ、２０ｄがそれぞれ所定の位置に固定される。尚、各プロジェクターの位置及び投影方向の変更及び調整を可能とすることは周知である。
【００２２】
図１の例では、全部で４個のプロジェクターが設置され、そのうち３個のプロジェクター２０ａ、２０ｂ、２０ｃについては、仕切り壁３４に穿設されたプロジェクター用開口３４ａを通して投影する。残りの１個のプロジェクター２０ｄは、別のプロジェクター用開口３４ｂを通して投影する。
【００２３】
設置室３０内において、一方の壁３７と他方の壁３６との間に第１スクリーンである瞬間調光ガラススクリーン１１、１２が設置される。プロジェクター２０ａ〜２０ｄの投影方向において投影許容範囲内に設置される。スクリーンを支持する支持壁３５により所定の位置に固定される。瞬間調光ガラスは、透明な一対のガラス基板の対向面にそれぞれ電極となる透明導電膜を配設し、透明導電膜間に液晶フィルムを介在させたものである。図１の例では、スクリーン１１、１２のそれぞれの透明電極を分離して別個にオンオフ制御可能とすることにより、独立したスクリーンとして用いている。
【００２４】
さらに、設置室３０の他方の壁３６には、第２スクリーンであるスクリーン１３が設置される。すなわちスクリーン１３は、プロジェクター２０ａ〜２０ｄに対しスクリーン１１、１２より遠方に設置される。もちろん、プロジェクター２０ａ〜２０ｄの投影方向において投影許容範囲内に設置される。図１の例では、スクリーン１３は、支持壁３６により所定の位置に固定されている。従って、スクリーン１３の前面は室内空間に、背面は室外空間４０に面している。すなわち、スクリーン１３は、通常の壁または窓の替わりに組み込まれているということができる。最も好適な例では、スクリーン１３もまた瞬間調光ガラスである。しかしながら、別の実施例では、スクリーン１３が通常のリアタイプスクリーンでもよい。
【００２５】
本発明では、プロジェクターをスクリーンの背面側に設置して投影する透過型の投影システムを採用するため、設置室３０内ではスクリーン１１、１２とスクリーン１３の間が、スクリーン１１、１２に投影される映像を視認するための空間３３となる。スクリーン１１に対する視認者の視線を矢印Ａ１で、スクリーン１２に対する視線を矢印Ａ２で示す。尚、仕切り壁３４とスクリーン１１、１２の間は、プロジェクター２０ａ〜２０ｄからの投影光が通過する投影空間３２となる。
【００２６】
図１の例では、第１スクリーンである瞬間調光ガラススクリーン１１、１２が双方ともオフすなわち不透明状態のとき、プロジェクター２０ａ、２０ｂ、２０ｃはスクリーン１１に映像等を投影し、プロジェクター２０ｄはスクリーン１２に映像等を投影する。このとき、第２スクリーンである瞬間調光ガラススクリーン１３は、図１では透明状態であるが必要に応じていずれでもよい。オンであれば透明状態となり室外空間３０から設置室３０内を視認することができ、オフであれば不透明状態となり室外空間４０から設置室３０内の状況が遮られる。瞬間調光ガラススクリーン１３を透明状態とする状況は、例えば、スクリーン１１、１２に業務関連情報等を投影し、業務を行う様子を室外空間４０から見学させる場合に利用できる。また、瞬間調光ガラススクリーン１３を不透明状態とする状況は、例えば、設置室３０内での業務の様子を見せたくない場合に利用できる。
【００２７】
図２は、図１に示した実施例において、第１スクリーンである瞬間調光ガラススクリーン１２をオンすなわち透明状態としたときの投影状況を示す。このとき、プロジェクター２０ｄの投影光は、スクリーン１２を透過して第２スクリーンであるスクリーン１３上に映像が投影される。尚、瞬間調光ガラススクリーン１３は、オフすなわち不透明状態とされている。これにより、スクリーン１３に投影された映像を室外空間４０から視認することができる。スクリーン１３に対する視線を矢印Ａ３で示す。また、スクリーン１３が瞬間調光ガラスではなく通常のリアタイプスクリーンの場合も同様である。この投影状況は、例えば、室外空間においてプレゼンテーション等を行う際に利用できる。尚、別の実施例として、映像品質が担保される限りにおいて、第１スクリーン１２と第２スクリーン１３の間にさらに１または複数の瞬間調光ガラススクリーンを設置し、各スクリーンのオンオフ制御を行うことにより、映像を投影するスクリーンを選択してもよい。
【００２８】
尚、図示しないが、スクリーン１２と同様に瞬間調光ガラススクリーン１１についても、オンすなわち透明状態としてスクリーン１３上にプロジェクター２０ａ、２０ｂ、２０ｃの各々からの映像等を投影することができる。
【００２９】
図３Ａは、図１の状況における設置室３０の概略的な側面図であり、図３Ｂは図２の状況における概略的な側面図である。これらの図の例では、プロジェクター２０ｄ等の位置が天井近傍である。これは、設置室３０の中央に設けたスクリーン１２等が、人間が立って視認したり指示棒で指示したりするのに適した高さに設置されることに関係して設定されている。また、プロジェクター２０ｄ等の位置は、スクリーン１２、１３との距離にも関係して設定される。図示の例のようにプロジェクターを天井近傍に配置することにより、プロジェクター室３１内を、バックヤード空間として有効利用することができる。図３Ｂに示す通り、同じ映像であってもスクリーン１３上では、スクリーン１２上よりも拡大投影される。
【００３０】
図４Ａは、瞬間調光ガラススクリーン１１、１２上に映像を投影した例であり、図４Ｂは、スクリーン１３上に映像を投影した例である。図４Ａに示す通り、スクリーン１１上には、３個のプロジェクター２０ａ、２０ｂ、２０ｃから投影された映像Ｐ１、Ｐ２、Ｐ３がそれぞれ映写される。スクリーン１２上には、プロジェクター２０ｄ図４Ｂに示す通り、スクリーン１３上には、プロジェクター２０ｄから投影された映像Ｐ４が映写される。また、スクリーン１２が透明であるとき、図４Ｂに示す通り、スクリーン１３上には、プロジェクター２０ｄから投影された映像Ｐ５が映写される。同じ映像であってもスクリーン１３上では、スクリーン１２上よりも拡大される。
【００３１】
プロジェクター２０ａ〜２０ｄは、液晶プロジェクターが好適であるが、他の形式のプロジェクターでもよい。液晶プロジェクターは、小型、軽量、低価格のプロジェクターとして現在主流となっており、高輝度、高コントラスト、高視野角のものも開発されている。
【００３２】
図５は、図１に示した実施例について制御システムの一例を示す模式的な構成図である。制御システムは多種多様な方式が可能であり、この例に限定されない。
【００３３】
映像作成コンピュータ５０ａ〜５０ｄは、それぞれプロジェクター２０ａ〜２０ｄに投影する映像を作成し、映像データ信号を出力する。映像作成コンピュータ５０ａ〜５０ｄは各々、ＣＰＵ５１、記憶装置５２、入力装置５３及び通信装置５４を具備する。ハードディスク等の補助記憶装置である記憶装置５２には、映像作成処理用のプログラムが導入され、当該プログラムをＣＰＵがメモリに読み込み実行することにより映像作成処理手段５５が実現される。
【００３４】
画像作成処理手段５５は、例えば、各映像作成コンピュータ５０ａ〜５０ｄは、通信装置５４を介してＬＡＮ７０に接続され、ＬＡＮ７０を介して外部から映像作成に必要なデータを取得する。あるいは、入力装置５３から映像作成に必要なデータを入力されることにより取得する。またあるいは、記憶装置５２に予め格納されたデータを利用する。これらの必要なデータに基づいて映像を作成し、作成された映像を映像データ信号に変換して出力する。映像データ信号は例えばＲＧＢ信号である。映像の作成は、予め設定されたプログラムにより自動的に行ってもよく、また映像作成コンピュータ５０ａ〜５０ｄのディスプレイ等の表示装置上で操作者が行ってもよい。
【００３５】
映像作成コンピュータ５０ａ〜５０ｄから出力されたＲＧＢ信号は、ＲＧＢマトリクススイッチャ２２の入力端子へ入力される。ＲＧＢマトリクススイッチャ２２の出力端子は、各プロジェクター２０ａ〜２０ｄと接続される。図５のＲＧＢマトリクススイッチャ２２は、多入力多出力タイプであり、各プロジェクター２０ａ〜２０ｄへの出力、非出力を独立して制御可能である。
【００３６】
ＲＧＢマトリクススイッチャ２２は手動制御も可能であるが、図５の例では、ＲＧＢマトリクススイッチャ２２の動作を遠隔制御するコンピュータ６０が設けられている。コンピュータ６０は、ＣＰＵ６１と記憶装置６２、入力装置６３、通信装置６４を具備する。ハードディスク等の補助記憶装置である記憶装置６２には、ＲＧＢマトリクススイッチャ制御用のプログラムが導入され、当該プログラムをＣＰＵがメモリに読み込み実行することによりＲＧＢマトリクススイッチャ制御手段６５が実現される。これにより、ＲＧＢマトリクススイッチャ２２の具備する各スイッチのオンオフを制御する制御信号が出力される。
【００３７】
図５の例では、コンピュータ６０は、瞬間調光ガラススクリーン１１、１２、１３のオンオフを制御する機能も具備する。図５の例では、瞬間調光ガラススクリーン１１、１２、１３の駆動用電源をまとめた電源ユニット２４が設けられる。この電源ユニット２４は、瞬間調光ガラススクリーン１１、１２、１３の各々のオンオフ用スイッチを具備する。コンピュータ６０は、このスイッチ動作を遠隔制御する制御信号を出力する。記憶装置６２には、瞬間調光ガラススクリーン電源ユニット制御用のプログラムが導入され、当該プログラムをＣＰＵがメモリに読み込み実行することにより瞬間調光ガラス制御手段６５が実現される。これにより、瞬間調光ガラススクリーン電源ユニットの具備する各スイッチのオンオフを制御する制御信号が出力される。
【００３８】
尚、図５の例では、コンピュータ５０ａ〜５０ｄ、６０と、ＲＧＢマトリクススイッチャ２２及び瞬間調光ガラススクリーン電源ユニット２４とは直接ライン接続されているが、ＬＡＮ７０を介して接続することもできる。
【００３９】
図６は、図５のコンピュータ６０によるＲＧＢマトリクススイッチャ２２に対する制御フローの一例を概略的に示している。以下の説明では、図５中の符号も用いる。
【００４０】
・ステップＳ１：初期状態またはリセット状態では、コンピュータ６０からＲＧＢマトリクススイッチャ２２に対する制御信号は、全てのプロジェクター２０ａ〜２０ｄに対する映像データ信号出力をオフとするものである。
【００４１】
・ステップＳ２：コンピュータ６０は、ＬＡＮ７０を介して映像作成コンピュータ５０ａ〜５０ｄのいずれかから映像出力開始信号を受信したか否かを判断する。映像作成コンピュータ５０ａ〜５０ｄの各々は、ＲＧＢマトリクススイッチャ２２に対して映像データを送信したときは、同時にコンピュータ６０に対して映像データの送信を開始したことをＬＡＮ２２を介して通知する。別の実施例では、映像出力開始信号をコンピュータ６０の入力装置６３から入力してもよい。コンピュータ６０が映像出力開始信号を受信した場合は、ステップＳ３へ進む。
【００４２】
・ステップＳ３：コンピュータ６０は、受信した映像出力開始信号に対応するプロジェクターへの映像データ信号出力をオンとする制御信号を出力する。これにより、対応するプロジェクターから映像データに相当する映像が投影される。
【００４３】
・ステップＳ４：コンピュータ６０は、ＬＡＮ７０を介して映像作成コンピュータ５０ａ〜５０ｄのいずれかから映像出力終了信号を受信したか否かを判断する。映像作成コンピュータ５０ａ〜５０ｄの各々は、ＲＧＢマトリクススイッチャ２２に対する映像データの送信を完了したときは、同時にコンピュータ６０に対して映像データの送信を終了したことをＬＡＮ２２を介して通知する。別の実施例では、映像出力終了信号をコンピュータ６０の入力装置６３から入力してもよい。コンピュータ６０が映像出力終了信号を受信した場合は、ステップＳ５へ進む。
【００４４】
・ステップＳ５：コンピュータ６０は、受信した映像出力終了信号に対応するプロジェクターへの映像データ信号出力をオフとする制御信号を出力する。これにより、対応するプロジェクターからの投影が停止される。
【００４５】
尚、図示しないがコンピュータ６０は、各プロジェクターに対してズーム、焦点合わせ、直接的なオンオフを制御する信号を送信してもよい。
【００４６】
図７は、図５のコンピュータ６０による瞬間調光ガラススクリーン電源ユニット２４に対する制御フローの一例を概略的に示している。以下の説明では、図５中の符号も用いる。
・ステップＳ１１：初期状態またはリセット状態では、コンピュータ６０から瞬間調光ガラススクリーン電源ユニット２４に対する制御信号は、全ての瞬間調光ガラススクリーン１１、１２、１３をオフとするものである。
【００４７】
・ステップＳ１２：コンピュータ６０は、瞬間調光ガラススクリーン１１〜１３のいずれかをオンとする指示データが入力されたか否かを判断する。指示データは、入力装置６３から入力することができる。指示データが入力された場合は、ステップＳ１３へ進む。
【００４８】
・ステップＳ１３：コンピュータ６０は、入力されたオン指示データに対応する瞬間調光ガラスをオンとするための制御信号を出力する。
【００４９】
・ステップＳ１４：コンピュータ６０は、瞬間調光ガラススクリーン１１〜１３のいずれかをオフとする指示データが入力されたか否かを判断する。指示データは、入力装置６３から入力することができる。指示データが入力された場合は、ステップＳ１５へ進む。
【００５０】
・ステップＳ１５：コンピュータ６０は、入力されたオン指示データに対応する瞬間調光ガラスをオフとするための制御信号を出力する。
【００５１】
一実施例においては、設置室３０内に設けられる瞬間調光ガラススクリーン１１、１２の室内視認空間３３側の面上に赤外線イメージセンサ方式の入力装置を設けてもよい。コンピュータ６０による映像制御と連動させることにより、投影された映像に対して指やタッチペンでクリックやドラッグの操作をタッチ入力できる。
【００５２】
図８〜図１３は、図１に示した実施例を適用した監視業務室の一例を模式的に示すイラスト図である。
【００５３】
図８は、室外空間４０の側から観た斜視図である。監視業務室の中央に瞬間調光ガラスの第１スクリーンが設置され、室外空間との境界壁にも瞬間調光ガラスの第２スクリーンが設置されている。図９は平面図である。図１０は、瞬間調光ガラスの第２スクリーンがオフの不透明状態であり、映像（向かって左端）が投影されている状態を示す。例えば、室外空間が見学コースやショールーム等である場合、プレゼンテーションに利用できる。図１１は、図１０の第２スクリーンがオンの透明状態となったときを示す。室外空間から監視業務室の内部を透視できる。図１２は、監視業務室内の様子を示す。中央の瞬間調光ガラスの第１スクリーンは透明状態である。奥側の黒い仕切り壁の上端近傍に円形のプロジェクター用開口が複数並んでいる。図１３は、図１２の黒い仕切りと第１スクリーンの間の投影空間から監視業務室内を観た様子を示す。第１スクリーンは透明状態である。
【００５４】
以上、本発明を実施例を参照しつつ説明したが、本発明におけるプロジェクターの種類及び数、瞬間調光ガラススクリーンの枚数、寸法、設置位置等は多様に設定することができ、特定の実施例に限定されない。
【図面の簡単な説明】
【００５５】
【図１】本発明に係るプロジェクターによる投影システムの一実施例を示した概略的な平面図である。
【図２】図１に示した実施例において、瞬間調光ガラススクリーン１２をオンすなわち透明状態としたときの投影状況を示す図である。
【図３Ａ】図１の状況における設置室の概略的な側面図である。
【図３Ｂ】図２の状況における設置室の概略的な側面図である。
【図４Ａ】図１の実施例において瞬間調光ガラススクリーン１１、１２上に映像を投影した例である。
【図４Ｂ】図１の実施例において瞬間調光ガラススクリーン１３上に映像を投影した例であ
【図５】図１に示した実施例について制御システムの一例を示す模式的な構成図である。
【図６】図５のコンピュータ６０によるＲＧＢマトリクススイッチャ２２に対する制御フローの一例を概略的に示している。
【図７】図１に示した実施例を適用した監視業務室の一例を模式的に示すイラスト図である。
【図８】図１に示した実施例を適用した監視業務室の一例を模式的に示すイラスト図である。
【図９】図１に示した実施例を適用した監視業務室の一例を模式的に示すイラスト図である。
【図１０】図１に示した実施例を適用した監視業務室の一例を模式的に示すイラスト図である。
【図１１】図１に示した実施例を適用した監視業務室の一例を模式的に示すイラスト図である。
【図１２】図１に示した実施例を適用した監視業務室の一例を模式的に示すイラスト図である。
【図１３】図１に示した実施例を適用した監視業務室の一例を模式的に示すイラスト図である。
【符号の説明】
【００５６】
１１、１２、１３  瞬間調光ガラススクリーン
２０ａ、２０ｂ、２０ｃ、２０ｄ  プロジェクター
２２  ＲＧＢマトリクススイッチャ
２４  瞬間調光ガラススクリーン制御装置
２５  電源ユニット
３０  設置室
３１  プロジェクター室
３２  投影空間
３３  室内視認空間
３４  仕切り壁
３４ａ、３４ｂ  プロジェクター用開口
３５  スクリーン支持壁
３６  スクリーン支持壁
４０  室外空間
５０ａ、５０ｂ、５０ｃ、５０ｄ  画像作成コンピュータ
５１  ＣＰＵ
５２  記憶装置
５３  入力装置
５４  通信装置
５５  画像作成処理手段
６０  プロジェクター／スクリーン制御コンピュータ
６１  ＣＰＵ
６２  記憶装置
６３  入力装置
６４  通信装置
６５  ＲＧＢマトリクススイッチャ制御手段
６６  瞬間調光ガラススクリーン制御手段
７０  ＬＡＮ
Ｐ１、Ｐ２、Ｐ３、Ｐ４、Ｐ５  投影画像
【図１】
2006343444.tif 000003
【図２】
2006343444.tif 000004
【図３Ａ】
2006343444.tif 000005
【図３Ｂ】
2006343444.tif 000006
【図５】
2006343444.tif 000007
【図６】
2006343444.tif 000008
【図７】
2006343444.tif 000009
【図４Ａ】
2006343444.tif 000010
【図４Ｂ】
2006343444.tif 000011
【図８】
2006343444.tif 000012
【図９】
2006343444.tif 000013
【図１０】
2006343444.tif 000014
【図１１】
2006343444.tif 000015
【図１２】
2006343444.tif 000016
【図１３】
2006343444.tif 000017